【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
第２の基地局から、第１の基地局を検出するためのリソースのインジケーションを受信することと、
前記第１の基地局から同期信号と情報ブロックとを受信すること、前記情報ブロックは、前記第１の基地局が休止状態にあるのかアクティブ状態にあるのかを示す情報を備え、前記同期信号と前記情報ブロックとは、前記第２の基地局によって示された前記リソース中で、前記インジケーションに基づいて前記ＵＥによって受信され、前記同期信号は、前記第１の基地局が前記休止状態にあることを前記情報が示すとき、第１の周期性において受信され、前記同期信号は、前記第１の基地局が前記アクティブ状態にあることを前記情報が示すとき、第２の周期性において受信され、前記第２の周期性が前記第１の周期性よりも大きい、と、
前記受信された同期信号と、前記第１の基地局が前記休止状態にあるのか前記アクティブ状態にあるのかを示す前記情報とに基づいて、前記第１の基地局を検出することと
を備える、方法。
【請求項２】
前記情報ブロックは、セル識別子をさらに備え、前記方法は、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
前記第２の基地局に前記測定レポートと前記セル識別子とを送ることと
をさらに備える、請求項１に記載の方法。
【請求項３】
前記第２の基地局から前記第１の基地局へのハンドオフ中に前記第２の基地局から前記第１の基地局に移動することをさらに備える、請求項１に記載の方法。
【請求項４】
前記第１の基地局が前記休止状態にあるのか前記アクティブ状態にあるのかを示す前記情報に基づいて前記情報ブロックを解釈することをさらに備え、前記検出することは、前記解釈された情報ブロックに基づく、
請求項１に記載の方法。
【請求項５】
ユーザ機器（ＵＥ）のワイヤレス通信の方法であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと、
前記第１の基地局が前記休止状態にあるのか前記アクティブ状態にあるのかを示す前記情報に基づいて前記情報ブロックを解釈すること、前記検出することは、前記解釈された情報ブロックに基づく、と
を備え、
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性が前記第１の周期性よりも大きい、方法。
【請求項６】
前記情報ブロックは、システム情報ブロック（ＳＩＢ）である、
請求項１に記載の方法。
【請求項７】
前記情報ブロックは、ＳＩＢ  １（ＳＩＢ１）である、
請求項６に記載の方法。
【請求項８】
ユーザ機器（ＵＥ）のワイヤレス通信の方法であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を備え、
前記情報ブロックは、システム情報ブロック（ＳＩＢ）であり、
前記情報ブロックは、ＳＩＢ  １（ＳＩＢ１）のサブセットを備える、
方法。
【請求項９】
前記情報ブロックは、マスタ情報ブロック（ＭＩＢ）である、請求項１に記載の方法。
【請求項１０】
ワイヤレス通信のための装置であって、前記装置はユーザ機器（ＵＥ）であり、
第２の基地局から、第１の基地局を検出するためのリソースのインジケーションを受信するための手段と、
前記第１の基地局から同期信号と情報ブロックとを受信するための手段、前記情報ブロックは、前記第１の基地局が休止状態にあるのかアクティブ状態にあるのかを示す情報を備え、前記同期信号と前記情報ブロックとは、前記第２の基地局によって示された前記リソース中で、前記インジケーションに基づいて前記ＵＥによって受信され、前記同期信号は、前記第１の基地局が前記休止状態にあることを前記情報が示すとき、第１の周期性において受信され、前記同期信号は、前記第１の基地局が前記アクティブ状態にあることを前記情報が示すとき、第２の周期性において受信され、前記第２の周期性が前記第１の周期性よりも大きい、と、
前記受信された同期信号と、前記第１の基地局が前記休止状態にあるのか前記アクティブ状態にあるのかを示す前記情報とに基づいて、前記第１の基地局を検出するための手段と
を備える、装置。
【請求項１１】
前記情報ブロックは、セル識別子をさらに備え、前記装置は、
前記第１の基地局から基準信号を受信するための手段と、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成するための手段と、
前記第２の基地局に前記測定レポートと前記セル識別子とを送るための手段と
をさらに備える、請求項１０に記載の装置。
【請求項１２】
前記第２の基地局から前記第１の基地局へのハンドオフ中に前記第２の基地局から前記第１の基地局に移動するための手段をさらに備える、
請求項１０に記載の装置。
【請求項１３】
前記第１の基地局が前記休止状態にあるのか前記アクティブ状態にあるのかを示す前記情報に基づいて前記情報ブロックを解釈するための手段をさらに備え、検出するための前記手段は、前記解釈された情報ブロックに基づいて検出する、
請求項１０に記載の装置。
【請求項１４】
ワイヤレス通信のための装置であって、前記装置はユーザ機器（ＵＥ）であり、
第１の基地局から同期信号と情報ブロックとを受信するための手段、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出するための手段と、
前記第１の基地局が前記休止状態にあるのか前記アクティブ状態にあるのかを示す前記情報に基づいて前記情報ブロックを解釈するための手段、検出するための前記手段は、前記解釈された情報ブロックに基づいて検出する、と
を備え、
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
装置。
【請求項１５】
前記情報ブロックは、システム情報ブロック（ＳＩＢ）である、
請求項１０に記載の装置。
【請求項１６】
前記情報ブロックは、ＳＩＢ  １（ＳＩＢ１）である、
請求項１５に記載の装置。
【請求項１７】
ワイヤレス通信のための装置であって、前記装置はユーザ機器（ＵＥ）であり、
第１の基地局から同期信号と情報ブロックとを受信するための手段、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出するための手段と
を備え、
前記情報ブロックは、システム情報ブロック（ＳＩＢ）であり、
前記情報ブロックは、ＳＩＢ  １（ＳＩＢ１）のサブセットを備える、
装置。
【請求項１８】
前記情報ブロックは、マスタ情報ブロック（ＭＩＢ）である、
請求項１０に記載の装置。
【請求項１９】
ワイヤレス通信のための装置であって、前記装置がユーザ機器（ＵＥ）であり、
メモリと、
前記メモリに結合された少なくとも１つのプロセッサとを備え、前記少なくとも１つのプロセッサは、
第２の基地局から、第１の基地局を検出するためのリソースのインジケーションを受信することと、
前記第１の基地局から同期信号と情報ブロックとを受信すること、前記情報ブロックは、前記第１の基地局が休止状態にあるのかアクティブ状態にあるのかを示す情報を備え、前記同期信号と前記情報ブロックとが、前記第２の基地局によって示された前記リソース中で、前記インジケーションに基づいて前記ＵＥによって受信され、前記同期信号は、前記第１の基地局が前記休止状態にあることを前記情報が示すとき、第１の周期性において受信され、前記同期信号は、前記第１の基地局が前記アクティブ状態にあることを前記情報が示すとき、第２の周期性において受信され、前記第２の周期性が前記第１の周期性よりも大きい、と、
前記受信された同期信号と、前記第１の基地局が前記休止状態にあるのか前記アクティブ状態にあるのかを示す前記情報とに基づいて、前記第１の基地局を検出することと
を行うように構成された、装置。
【請求項２０】
前記情報ブロックは、セル識別子をさらに備え、前記少なくとも１つのプロセッサは、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
前記第２の基地局に、前記測定レポートと前記セル識別子とを送ることと
を行うようにさらに構成された、請求項１９に記載の装置。
【請求項２１】
前記少なくとも１つのプロセッサは、前記第２の基地局から前記第１の基地局へのハンドオフ中に前記第２の基地局から前記第１の基地局に移動するようにさらに構成された、
請求項１９に記載の装置。
【請求項２２】
前記少なくとも１つのプロセッサは、前記第１の基地局が前記休止状態にあるのか前記アクティブ状態にあるのかを示す前記情報に基づいて前記情報ブロックを解釈するようにさらに構成され、前記少なくとも１つのプロセッサは、前記解釈された情報ブロックに基づいて検出するようにさらに構成された、
請求項１９に記載の装置。
【請求項２３】
ワイヤレス通信のための装置であって、前記装置がユーザ機器（ＵＥ）であり、
メモリと、
前記メモリに結合された少なくとも１つのプロセッサと
を備え、前記少なくとも１つのプロセッサは、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと、
前記第１の基地局が前記休止状態にあるのか前記アクティブ状態にあるのかを示す前記情報に基づいて前記情報ブロックを解釈すること、前記少なくとも１つのプロセッサは、前記解釈された情報ブロックに基づいて検出するように構成される、と
を行うように構成され、
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
装置。
【請求項２４】
前記情報ブロックは、システム情報ブロック（ＳＩＢ）である、
請求項１９に記載の装置。
【請求項２５】
ワイヤレス通信のための装置であって、前記装置がユーザ機器（ＵＥ）であり、
メモリと、
前記メモリに結合された少なくとも１つのプロセッサと
を備え、前記少なくとも１つのプロセッサは、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することとを行うように構成され、
前記情報ブロックは、システム情報ブロック（ＳＩＢ）であり、
前記情報ブロックは、ＳＩＢ  １（ＳＩＢ１）のサブセットを備える、
装置。
【請求項２６】
前記情報ブロックは、マスタ情報ブロック（ＭＩＢ）である、
請求項１９に記載の装置。
【請求項２７】
ワイヤレス通信のためのコンピュータ実行可能コードを記憶する非一時的なコンピュータ可読媒体であって、
第２の基地局から、第１の基地局を検出するためのリソースのインジケーションを受信することと、
前記第１の基地局から同期信号と情報ブロックとを受信すること、前記情報ブロックは、前記第１の基地局が休止状態にあるのかアクティブ状態にあるのかを示す情報を備え、前記同期信号と前記情報ブロックとは、前記第２の基地局によって示された前記リソース中で、前記インジケーションに基づいて前記ＵＥによって受信され、前記同期信号は、前記第１の基地局が前記休止状態にあることを前記情報が示すとき、第１の周期性において受信され、前記同期信号は、前記第１の基地局が前記アクティブ状態にあることを前記情報が示すとき、第２の周期性において受信され、前記第２の周期性が前記第１の周期性よりも大きい、と、
前記受信された同期信号と、前記第１の基地局が前記休止状態にあるのか前記アクティブ状態にあるのかを示す前記情報とに基づいて、前記第１の基地局を検出することと
を行うためのコードを備える、非一時的なコンピュータ可読媒体。
【請求項２８】
ワイヤレス通信のためのコンピュータ実行可能コードを記憶する非一時的なコンピュータ可読媒体であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと、
前記第１の基地局が前記休止状態にあるのか前記アクティブ状態にあるのかを示す前記情報に基づいて前記情報ブロックを解釈すること、前記検出することは、前記解釈された情報ブロックに基づく、と
を行うためのコードを備え、
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性が前記第１の周期性よりも大きい、
非一時的なコンピュータ可読媒体。
【請求項２９】
ワイヤレス通信のためのコンピュータ実行可能コードを記憶する非一時的なコンピュータ可読媒体であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を行うためのコードを備え、
前記情報ブロックは、システム情報ブロック（ＳＩＢ）であり、
前記情報ブロックは、ＳＩＢ  １（ＳＩＢ１）のサブセットを備える、
非一時的なコンピュータ可読媒体。